(57)【要約】【課題】海水等のホウ素を含有する水を逆浸透膜により分離を行う際に、効率よくホウ素を除去し、装置を安定に運転することができる造水方法と造水装置を提供すること。【解決手段】ホウ素を含んだ水を逆浸透膜モジュールで分離し、得られた透過水に貯槽活性炭を用いた吸着処理を施す際に、前記逆浸透膜モジュールから得られる透過水量とは異なる流量で活性炭吸着塔に供給する造水方法であり、また、ホウ素を含んだ水を濃縮水と透過水とに分離する逆浸透膜モジュールと、逆浸透膜モジュールの透過水を処理する活性炭吸着塔とを備えている造水装置。【選択図】図１
2007260580.tif 000002
【特許請求の範囲】
【請求項１】
ホウ素を含んだ水を逆浸透膜モジュールで分離し、得られた透過水に貯槽活性炭を用いた吸着処理を施す際に、前記逆浸透膜モジュールから得られる透過水量とは異なる流量で活性炭吸着塔に供給することを特徴とする造水方法。
【請求項２】
ホウ素を含んだ水を逆浸透膜モジュールで分離し、得られた透過水の一部に活性炭を用いた吸着処理を施し、さらに該吸着処理が施された水を、前記透過水のうち吸着処理を施されなかった水と混合して混合水を得ることを特徴とする請求項１に記載の造水方法。
【請求項３】
ホウ素を含んだ水を逆浸透膜モジュールで分離し、得られた透過水を貯槽に貯留し、該貯槽の透過水に活性炭を用いた吸着処理を施した後、該活性炭吸着処理水を前記貯槽に戻すことを特徴とする請求項１に記載の造水方法。
【請求項４】
逆浸透膜モジュールから得られた透過水中のホウ素濃度を測定し、その濃度に応じて活性炭吸着処理装置への透過水の供給頻度を変化させることを特徴とする請求項３に記載の造水方法。
【請求項５】
逆浸透膜が、酢酸セルロース非対称膜、ポリアミド非対称膜、およびポリアミド複合膜からなる群から選ばれる少なくとも一つであることを特徴とする請求項１、２、３または４に記載の造水方法。
【請求項６】
原水として海水を用いることを特徴とする請求項１、２、３、４または５に記載の造水方法。
【請求項７】
ホウ素を含んだ水を濃縮水と透過水とに分離する逆浸透膜モジュールと、逆浸透膜モジュールの透過水を処理する活性炭吸着塔とを備えていることを特徴とする造水装置。
【請求項８】
ホウ素を含んだ水を濃縮水と透過水とに分離する逆浸透膜モジュールと、逆浸透膜モジュールの透過水の一部を処理する活性炭吸着塔と、活性炭吸着塔を通過しない水の流路と、活性炭吸着塔を通過した水と活性炭吸着塔を通過しない水とを混合させる混合手段とを備えていることを特徴とする請求項７に記載の造水装置。
【請求項９】
ホウ素を含んだ水を濃縮水と透過水とに分離する逆浸透膜モジュールと、逆浸透膜モジュールの透過水を貯留する貯槽と、透過水に吸着処理を施す活性炭吸着塔と、活性炭吸着処理を施した処理水を前記貯槽に戻すラインを備えていることを特徴とする請求項８に記載の造水装置。
【請求項１０】
逆浸透膜モジュールから得られた透過水中のホウ素濃度を測定する手段を有し、得られたホウ素濃度に応じて活性炭吸着塔へ貯槽から透過水を供給するためのポンプの動作を制御する制御装置を備えていることを特徴とする請求項９に記載の造水装置。
【発明の詳細な説明】
【技術分野】
【０００１】
本発明は、逆浸透膜モジュールおよび活性炭吸着除去手段を備えた造水装置およびそれを用いた造水方法に関する。
【背景技術】
【０００２】
海水またはかん水からの淡水の生成や河川または湖沼水からの上水の生成等に、逆浸透膜モジュールを備えた造水装置が用いられている。この種の造水装置は、殺菌や濁質成分除去等の前処理を施した原水（海水等）を高圧ポンプによって所定の圧力（例えば６．０ＭＰａ程度）に高めて逆浸透膜モジュールに供給し、逆浸透作用により透過水（淡水）と濃縮水とに分離する。得られる透過水は、ＷＨＯ水質ガイドライン値をほぼ満たす水質を有しているが、唯一ホウ素については、不十分である。
【０００３】
ホウ素は海水中ではホウ酸として存在し、およそ４〜５ｍｇ／Ｌ含まれている。現在上市されている海水淡水化用逆浸透膜モジュールでは、条件によってはＷＨＯ水質ガイドラインで定められているホウ素濃度の暫定値（０．５ｍｇ／Ｌ）以下にすることが困難である場合がある。
【０００４】
そこで、海水を第１の逆浸透膜モジュールに供給し、その透過水をｐＨ５．７以上に調整した後、第２の逆浸透膜モジュールに供給する水処理方法が開示されている（特許文献１）。
【０００５】
しかしながら、逆浸透膜モジュールを多段で使用することにより、設備費および電力費が増えるばかりでなく、ｐＨを調整するための薬品費も増えるため、経済的ではない。
【０００６】
一方、ホウ素の除去方法としては、逆浸透膜法以外にも強塩基性陰イオン交換樹脂による吸着除去やスチレン−ジビニルベンゼン共重合体にＮ−メチルグルカミンを結合させた樹脂により吸着除去する方法が知られている。逆浸透膜モジュールの透過水をイオン交換樹脂層に通水して、ホウ素を除去する水処理方法が開示されている（特許文献２）。
【０００７】
しかしながら、吸着塔などの設備費、樹脂の初期投資、および、樹脂の再生費が高く、経済性の点から問題がある。
【０００８】
さらに、逆浸透膜モジュールの濃縮水の一部をホウ素吸着樹脂で処理することにより、得られる透過水の回収率を向上させると共に、水質基準を満足するのに十分ホウ素を除去できる造水方法が開示されている（特許文献３）。
【０００９】
しかし、ホウ素吸着樹脂が高価であるため、ホウ素吸着塔などの設備費、樹脂の初期投資、および、樹脂の再生費が高く、経済性の点から問題があった。
【００１０】
活性炭によるホウ素の吸着除去では、約４０時間活性炭含有溶液を撹拌することにより、溶液中からホウ素が９０％程度除去されることが報告されている（例えば、非特許文献１）。
【００１１】
しかし、実際の水処理プラントでは、このような長時間の吸着処理は効率が悪く、経済性の点から問題があった。
【００１２】
また、逆浸透膜を用いた浄水器のシステムが開示されている（特許文献４）。
しかし、このシステムは、水道水を前処理した後、逆浸透膜で処理し、活性炭フィルターを通した後、銀含有除菌フィルターを通すプロセスであり、細菌汚染のない飲料水を作ることを特徴としている。しかし、本システムでは原水にホウ素を含有しておらず、また、逆浸透膜の後の活性炭の役目が臭気成分の除去や味の改善であり、ホウ素に注目はされていない。
【００１３】
【特許文献１】特開平９−１０７６６号公報
【特許文献２】特開平１０−１５３５６号公報
【特許文献３】国際公開第２００３／０６２１５１号パンフレット
【非特許文献１】「エンバイロメンタル  サイエンス  アンド  テクノロジー」、Ｖｏｌ．１３、Ｎｏ．２、１９７９年、ｐ．１８９−１９６
【特許文献４】特開２０００−２８８５３９号公報
【発明の開示】
【発明が解決しようとする課題】
【００１４】
本発明は、ホウ素を含む水からホウ素を除去する造水方法および造水装置を提供することを目的とする。
【００１５】
なお、ここで逆浸透膜モジュールの透過水とは、逆浸透膜モジュールによって、塩分などの溶質が除去された水のことである。
【課題を解決するための手段】
【００１６】
上記目的を達成する本発明の造水方法は、以下の（１）の構成からなるものである。
（１）ホウ素を含んだ水を逆浸透膜モジュールで分離し、得られた透過水に活性炭を用いた吸着処理を施す際に、前記逆浸透膜モジュールから得られる透過水量とは異なる流量で活性炭供給塔に供給することを特徴とする造水方法。
【００１７】
また、かかる（１）の本発明の造水方法において、より具体的構成として好ましくは、以下の（２）〜（６）のいずれかの構成からなるものである。
【００１８】
（２）ホウ素を含んだ水を逆浸透膜モジュールで分離し、得られた透過水の一部に活性炭を用いた吸着処理を施し、さらに該吸着処理が施された水を、前記透過水のうち吸着処理を施されなかった水と混合して混合水を得ることを特徴とする上記（１）に記載の造水方法。
【００１９】
（３）ホウ素を含んだ水を逆浸透膜モジュールで分離し、得られた透過水を貯槽に貯留し、該貯槽の透過水に活性炭を用いた吸着処理を施した後、該活性炭吸着処理水を前記貯槽に戻すことを特徴とする上記（１）に記載の造水方法。
【００２０】
（４）逆浸透膜モジュールから得られた透過水中のホウ素濃度を測定し、その濃度に応じて活性炭吸着処理装置への透過水の供給頻度を変化させることを特徴とする上記（３）に記載の造水方法。
【００２１】
（５）逆浸透膜が、酢酸セルロース非対称膜、ポリアミド非対称膜、およびポリアミド複合膜からなる群から選ばれる少なくとも一つであることを特徴とする上記（１）、（２）、（３）または（４）のいずれかに記載の造水方法。
【００２２】
（６）原水として海水を用いることを特徴とする上記（１）、（２）、（３）、（４）または（５）のいずれかに記載の造水方法。
【００２３】
なお、上記（２）の造水方法の態様例をフロー図で描いたのが図１であり、上記（３）の造水方法の態様例をフロー図で描いたのが図２であり、上記（４）の造水方法の態様例をフロー図で描いたのが図３である。
【００２４】
また、上記目的を達成する本発明の造水装置は、以下の（７）の構成からなるものである。
【００２５】
（７）ホウ素を含んだ水を濃縮水と透過水とに分離する逆浸透膜モジュールと、逆浸透膜モジュールの透過水を処理する活性炭吸着塔とを備えていることを特徴とする造水装置。
【００２６】
また、かかる本発明の造水装置において、より具体的構成として好ましくは、以下の（８）〜（１０）のいずれかの構成からなるものである。
【００２７】
（８）ホウ素を含んだ水を濃縮水と透過水とに分離する逆浸透膜モジュールと、逆浸透膜モジュールの透過水の一部を処理する活性炭吸着塔と、活性炭吸着塔を通過しない水の流路と、活性炭吸着塔を通過した水と活性炭吸着塔を通過しない水とを混合させる混合手段とを備えていることを特徴とする上記（７）に記載の造水装置。
【００２８】
（９）ホウ素を含んだ水を濃縮水と透過水とに分離する逆浸透膜モジュールと、逆浸透膜モジュールの透過水を貯留する貯槽と、透過水に吸着処理を施す活性炭吸着塔と、活性炭吸着処理を施した処理水を前記貯槽に戻すラインを備えていることを特徴とする上記（８）に記載の造水装置。
【００２９】
（１０）逆浸透膜モジュールから得られた透過水中のホウ素濃度を測定する手段を有し、得られたホウ素濃度に応じて活性炭吸着塔へ貯槽から透過水を供給するためのポンプの動作を制御する制御装置を備えていることを特徴とする上記（９）に記載の造水装置。
【発明の効果】
【００３０】
本発明の造水方法と造水装置によれば、高価なホウ素吸着剤や、さらなる逆浸透膜モジュールの設置などの設備費の増加や薬品費の増加を抑え、安価な活性炭の使用により透過水からホウ素を除去して水を製造することができる。
【００３１】
また、本発明の造水方法と造水装置によれば、使用活性炭の寿命を延ばし、効率的にホウ素除去を行い水を製造することができる。
【発明を実施するための最良の形態】
【００３２】
本発明は、ホウ素を含んだ水を逆浸透膜モジュールで分離し、得られた透過水に活性炭を用いた吸着処理を施す造水方法である。
【００３３】
本発明において、用いられ得る逆浸透膜は、被分離混合液中の一部の成分、例えば溶媒を透過させ他の成分を透過させない半透性の膜である。ナノフィルトレーション膜またはルースＲＯ膜なども、広い意味では逆浸透膜に含まれる。
【００３４】
その素材には、酢酸セルロースポリマー、ポリアミド、ポリエステル、ポリイミド、ビニルポリマーなどの高分子素材がよく使用されている。
【００３５】
本発明方法の実施に際して、逆浸透膜による分離方法は、用いられる逆浸透膜の素材、膜構造や膜形態に応じて種々利用することができ、いずれも効果があるが、逆浸透膜の膜構造としては、膜の少なくとも片面に緻密層を持ち、緻密層から膜内部あるいはもう片方の面に向けて徐々に大きな孔径の微細孔を有する非対称膜や、さらに非対称膜の緻密層の上に別の素材で形成された非常に薄い活性層を有する複合膜が好ましく用いられ、さらに、逆浸透膜の膜形態としては、中空糸あるいは平膜が好ましく用いられる。かかる中空糸、平膜の膜厚は１０μｍ〜１ｍｍであることが好ましく、中空糸では、その外径は５０μｍ〜４ｍｍであることが、また、平膜では非対称膜、複合膜は織物、編み物、不織布などの基材で支持されていることが好ましい。
【００３６】
かかる逆浸透膜の中で代表的な逆浸透膜としては、例えば、酢酸セルロース非対称膜や、ポリアミド非対称膜、または、ポリアミド、ポリ尿素等の活性層を有する複合膜などが挙げられる。これらの中でも、耐加水分解性、耐薬品性、耐圧性という点で、酢酸セルロース非対称膜、ポリアミド非対称膜、ポリアミド複合膜に本発明の方法が有効であり、特に高塩排除率、高造水量という点で、芳香族ポリアミド複合膜が好ましい。
【００３７】
本発明に用いられる膜分離装置を構成する逆浸透膜モジュールとは、上記逆浸透膜を実際に使用するために形態化したものであり、逆浸透膜の膜形態が平膜の場合は、スパイラル、チューブラー、プレート・アンド・フレームのモジュールに組み込んで、また、逆浸透膜の膜形態が中空糸の場合は、束ねた上でモジュールに組み込んで使用することができるが、本発明はこれらの逆浸透膜モジュールの形態に左右されるものではない。
【００３８】
また、逆浸透膜モジュールとして、前記スパイラル形状の逆浸透膜モジュールを用いる場合、供給水の流路材、透過水の流路材などの部材が当該モジュールに組み込まれており、特に、高濃度用、高圧用に設計された逆浸透膜モジュールとして好ましく用いられる。
【００３９】
次に、この造水装置における水の流れを、海水を原水として用いた場合について説明する。
【００４０】
海から取水された海水は、濁質成分除去等の除去のため砂ろ過やＭＦろ過等の前処理が施され、さらに、殺菌剤の添加やｐＨ調整などの薬剤の添加が行われる。この前処理された海水（原水）は、高圧ポンプによって昇圧され、逆浸透膜モジュールに供給される。供給された海水は、塩分などの溶質が除去された透過水と、塩分などの溶質が濃縮された濃縮水とに分離され、濃縮水は排出口から排出される。
【００４１】
そして、逆浸透膜モジュールで得られた透過水（淡水）は、活性炭吸着塔へ供給され、透過水中のホウ素が吸着される。こうして、所望のホウ素濃度に調整された混合水が得られる。
【００４２】
なお、本発明においては、この際に逆浸透膜モジュールから得られた浸透水は、逆浸透膜モジュールから得られる透過水量とは異なる流量で活性炭吸着塔に供給される。流量を相違させて供給し吸着処理することにより、透過水中のホウ素濃度に応じて活性炭吸着塔への供給量を変動させることが可能となり、活性炭を効率良く使用することができ、活性炭の交換頻度を低減させることが可能となる。活性炭吸着塔へ供給する透過水の流量は０．１〜０．９倍もしくは１．１〜１００倍が好ましく、さらには、０．１〜０．９倍もしくは１．１〜１０倍がより好ましく、特に、１．１倍以上が好ましいものである。供給する透過水の流量が０．１倍以下であると、ホウ素を除去する効率が悪くなってしまい、また、供給する透過水の流量が１０倍以上であると、透過水を供給するためのポンプの負担が大きくなり電力費等の経済的負担が大きくなってしまうので、好ましくない。
【００４３】
ここで、使用される活性炭吸着塔は、透過水中のホウ素を活性炭と接触させて吸着を行わせる装置である。活性炭が粒状の場合には塔に充填して通水するように構成し、活性炭が粉末の場合には撹拌接触槽と適当な固液分離装置（沈降分離装置、膜分離装置など）とを組み合わせて使用するとよい。操作性の面からは、充填槽通水式が望ましい。
【００４４】
活性炭としては、植物質（木材、鋸屑、木炭、椰子殻炭、素灰など）、石炭質（泥炭、亜炭、褐炭、瀝青炭、無煙炭など）、石油質（石油残渣、硫酸スラッジ、オイルカーボンなど）の各種原料から製造したものを使用することができる。
【００４５】
そして、さらに効果的にホウ素が除去された透過水を得るために、逆浸透膜モジュールで得られた透過水は、活性炭吸着塔とバイパスラインとの分岐点にて、活性炭吸着塔へ流入する水とバイパスラインを通過する水とに分配される。活性炭吸着塔へ流入した水は活性炭によりホウ素が除去された後、流路の合流点で、バイパスラインを通過した水と混合される。こうして、所望のホウ素濃度に調整された混合水が得られる。
【００４６】
また、逆浸透膜モジュールから得られた透過水は、いったん貯槽に溜めておき、この貯槽中の透過水の一部を供給ポンプにて活性炭吸着塔に供給し、吸着処理された水は貯槽に戻される。
【００４７】
この装置には、活性炭吸着塔へ透過水を供給する供給ポンプの稼働比率を制御することも好ましい。そして、活性炭吸着処理を施す水の流量を制御することにより、貯槽に溜められた透過水が、所望の水質の混合水となることが好ましい。
【００４８】
さらに、効率よく透過水中のホウ素を吸着除去するために、活性炭吸着塔を通過する透過水の空間速度（ＳＶ）は０．１以上１００ｈ-1以下であることが好ましい。さらに好ましくは、１以上５０ｈ-1以下である。ここで、空間速度とは活性炭吸着塔に充填された活性炭の体積あたり流れる処理水の体積流量のことである。空間速度が小さすぎると、吸着塔内がスライムの温床となり、吸着処理する効率が悪くなり処理コストが増加するばかりでなく、所望の水質の透過水を得ることが難しくなる。空間速度が大きすぎると圧損が大きくなり、供給効率が悪くなってしまう。
【００４９】
使用する活性炭の表面積は大きいと吸着効率が良くなり、１，０００ｍ2 ／ｇＢＥＴ以上であると好ましい。活性炭の表面積は窒素ガスを吸着させたときの圧力と吸着量の関係から、ＢＥＴ法により求めることができる。表面積が１，０００ｍ2 ／ｇより小さいと活性炭に吸着できるホウ素の総量が少なくなり、活性炭の交換頻度が増えてしまうため効率が悪くなる方向である。その上限値は、２０００ｍ2 ／ｇＢＥＴ程度までである。表面積が２０００ｍ2 ／ｇＢＥＴを超えると、活性炭の強度が低下してくるため好ましくない。
【００５０】
また、活性炭は平均粒径が０．１５ｍｍ以上、０．５０ｍｍ以下のものを使用するのが好ましい。ここで、活性炭の粒度の測定は、ＪＩＳ-Ｋ１４７４に記載されている活性炭試験方法に従って行うことができる。なお、平均粒径が０．１５ｍｍ未満であると、活性炭吸着塔の出口に設けられているフィルターから活性炭が漏れ出し、処理水に活性炭が混じってしまうという可能性が生じてくるので、また、このような漏れを解消しようとフィルターの目を細かくすると、処理水が活性炭吸着塔を通るときの体積流量が遅くなり、吸着効率が悪くなってしまうので、該平均粒径の下限値は０．１５ｍｍ程度までとするのがよい。また、平均粒径が０．５０ｍｍよりも大きいものを使用する場合には、活性炭吸着塔内に充填した活性炭の充填率が小さくなり、使用する吸着剤の量が少なくなる方向となるため吸着効率が低くなり好ましくない。
【００５１】
なお、通常、活性炭は一般に市販されているホウ素吸着樹脂よりもホウ素の吸着速度が遅く、速い流速で活性炭吸着塔を通過させただけでは所望のホウ素濃度の水を得ることが難しい場合がある。この点を解消するには、いったん貯槽に溜めた透過水を循環してホウ素吸着塔に通すという構成にすることにより、ホウ素の除去性能を高め、効率よくホウ素を除去することができるようになる。このフローが、図２に示した態様のものである。
【００５２】
また、本発明では、活性炭吸着塔を使用することにより、活性炭のホウ素吸着量が飽和した場合や、微生物等による汚染が起きた場合にも、そのコストの安さから、交換回数を多くすることができるため、経済的である。
【００５３】
これに対して、本発明によらずに、ホウ素吸着樹脂を用いた構成の場合には、ホウ素吸着量が飽和したとき、吸着樹脂を再生するため強酸や強アルカリといった薬品が必要であり、そのための装置も必要となるため、建設費、および薬品費が大幅に増加してしまう。さらに、吸着樹脂が劣化や汚染等で十分な吸着性能を持たなくなった場合でも、そのコストの高さから気軽に交換することができない。
【００５４】
本発明の方法・装置は、逆浸透膜モジュールで得られる透過水中のホウ素濃度が、所望の濃度よりも高かった場合に採用されるとより効果的である。
【００５５】
すなわち、逆浸透膜モジュールで得られる透過水の水質が悪い場合、つまり透過水のホウ素濃度が、例えば、ＷＨＯ水質ガイドライン値で定められている０．５ｍｇ／Ｌ以上である場合には、透過水の一部を活性炭吸着塔へ供給するように、供給ポンプを制御する。活性炭吸着塔を通過する水の割合は、貯槽のホウ素濃度が０．５ｍｇ／Ｌ以下になるように制御すればよい。逆浸透膜モジュールで得られる透過水の水質が良い場合、つまり透過水のホウ素濃度が０．５ｍｇ／Ｌ以下である場合には、活性炭吸着塔への透過水の供給を停止すればよい。
【００５６】
このように、水質に応じて、活性炭吸着塔を通過する透過水の流量比率を制御することによって、海水など温度変化に応じて水質が変化する原水の場合にも、常に安定したホウ素濃度の処理水を得ることができる。また、ホウ素除去手段をさらに有効に利用することができ、経済性をさらに向上することができる。
【００５７】
特に海水を原水とした場合には、海水中のホウ素濃度が高いため、逆浸透膜モジュールを透過する割合も高くなることが想定されるため、得られた透過水が目的とするホウ素濃度を超える場合には、本技術の利用が効果的である。
【００５８】
このように、本発明においては、海水やかん水など、ホウ素を含んだ原水から、活性炭の利用によりホウ素が除去された飲料水を得ることができる。また、活性炭吸着塔を効率的に利用することができ、装置コストや運転コストを低減でき、ひいては経済性を向上できる。
【００５９】
本発明の造水方法は、以下に説明する造水装置を用いて行われる。
本発明の造水装置は、逆浸透膜モジュールを備えている。また、逆浸透膜モジュールの上流側には、取水部、砂ろ過や膜前処理等の前処理装置、殺菌剤やｐＨ調整するための薬液添加装置を備えており、さらに前処理された原水を昇圧して逆浸透膜モジュールに供給する高圧ポンプ（昇圧手段）を備えている。逆浸透膜モジュールで、昇圧された供給水（Ａ）を濃縮水（Ｃ）と透過水（Ｂ）とに分離する。逆浸透膜モジュールの下流側には、透過水からホウ素を除去する活性炭吸着塔を有する。
【００６０】
さらに効果的にホウ素が除去された透過水を得るために、その活性炭吸着塔を通過しない水の流路として、バイパスラインが並列に設けられている。
【００６１】
ホウ素吸着塔およびバイパスラインの下流側には、ホウ素除去手段を通過した水とホウ素除去手段を通過しない水とを混合させる混合手段を備えている。ここで、混合手段とは、単にホウ素除去手段を通過した水の流路とホウ素除去手段を通過しない水の流路とを合流させるだけでよい。また、前記流路の合流地点、あるいは、それより下流側に貯水槽を設けても良い。貯槽を設けない場合は、設置スペースの点で有利である。一方、貯槽を設けた場合は、混合水の品質を一定にしやすい点で有利である。混合手段によって、ホウ素除去処理を施された水と、前記透過水のうちホウ素除去処理を施されなかった水とが混合されて、混合水が得られる。
【００６２】
また、逆浸透膜モジュールの下流側に貯槽を設け、得られた透過水をいったん貯槽に溜めておき、この貯槽中の透過水の一部を貯槽の下流側に設けた供給ポンプにて活性炭吸着塔に供給し、吸着処理された水は貯槽に戻すこともできる。
【００６３】
この装置には、活性炭吸着塔へ透過水を供給する供給ポンプの稼働比率を制御する制御手段を備えていることも好ましい。そして、活性炭吸着処理を施す水の流量を制御することにより、貯槽に溜められた透過水が、所望の水質の混合水となることが好ましい。制御手段は、透過水量センサおよびホウ素濃度センサを有していることが好ましい。
【００６４】
たとえば、逆浸透膜モジュールの透過水側に透過水流量センサ、ホウ素濃度センサを設置し、貯槽中にホウ素濃度センサ（ホウ素濃度測定装置）を設置し、活性炭吸着塔の出口側に透過水量センサを設置する。そして、逆浸透膜モジュールの透過水のホウ素濃度、活性炭吸着塔を透過した水のホウ素濃度、および、透過水量に基づいて、活性炭吸着塔へ流入させる水の流量比率（供給頻度）を決定し調整する。
【００６５】
このように、逆浸透膜モジュールで処理して得られた透過水中に含まれるホウ素を、活性炭吸着処理することによりホウ素濃度の低減化が図れ、経済的に、水質基準を満足できる水を得ることができる。
【実施例】
【００６６】
以下に、実施例を挙げて本発明を説明するが、本発明はこれら実施例により何ら限定されるものではない。
【００６７】
実施例１
まず、前処理部分で塩濃度３５，７００ｍｇ／Ｌ、ホウ素濃度５ｍｇ／Ｌの海水を２５℃、ｐＨ６．５に調整した後、中空糸限外ろ過膜モジュールで濾過処理する。次に、前処理された水を第２図に示すフローの装置に導入し、高圧ポンプで圧力５．５ＭＰａに昇圧して、逆浸透膜モジュールに供給し、回収率４０％で運転する。このときの逆浸透膜モジュールの透過水のＴＤＳ（溶解性物質）濃度は、１５０ｍｇ／Ｌ、ホウ素濃度は１．２ｍｇ／Ｌであった。
【００６８】
逆浸透膜モジュールで得られた透過水を、逆浸透膜モジュールの下流側にある貯槽に溜め、貯槽の下流側にある供給ポンプにより、透過水を活性炭吸着塔に供給した。このとき、活性炭の平均粒径は０．２５２ｍｍ、表面積は１６００ｍ2 ／ｇＢＥＴのものを使用した。活性炭吸着塔へは逆浸透膜モジュールから得られる流量の４倍の体積流量で供給し、活性炭吸着塔へは空間速度６．７ｈ-1で供給した。
【００６９】
活性炭吸着後の水を貯槽に戻して１５分経過後（滞留時間１５分）の貯槽のＴＤＳ濃度は１５０ｍｇ／Ｌ、ホウ素濃度は０．９２ｍｇ／Ｌとなり、日本国内の水質基準を十分満足できた。
【００７０】
比較例１
一方、逆浸透膜モジュールから得られた透過水流量と同量を直接活性炭吸着塔に通した以外は実施例１と同条件で行った。活性炭吸着塔で処理した後の透過水中のＴＤＳ濃度は１５０ｍｇ／Ｌ、ホウ素濃度は１．１４ｍｇ／Ｌとなり、日本国内の水質基準を満たすことができなかった。
【図面の簡単な説明】
【００７１】
【図１】図１は、本発明に係る逆浸透膜分離方法のフローを示した概略フロー図である。
【図２】図２は、本発明に係る逆浸透膜分離装置の好ましい一実施態様を示す概略フロー図である。
【図３】図３は、本発明に係る逆浸透膜分離装置の好ましい他の実施態様を示す概略フロー図である。
【図１】
2007260580.tif 000003
【図２】
2007260580.tif 000004
【図３】
2007260580.tif 000005